(57)【要約】【課題】監視対象の変化を逃すことなく監視カメラによるモニタリングを実施でき、かつ監視映像を表示するモニタの焼き付き防止も可能なカメラ監視システムを提供する。【解決手段】監視カメラ１で撮影した現在のフレーム映像Ａと、前フレーム映像Ｂと、初期画面に相当するリファレンス映像Ｃとの相互関係を、動体検知処理部６で検知処理し、動体検知結果が、監視映像に変化が無いことを検出した場合だけ、焼き付き防止の為にスクリーンセーバーを起動する。【選択図】図１
2008136129.tif 000002
【特許請求の範囲】
【請求項１】
監視対象を撮影するカメラと、
前記カメラが取得した前記監視対象の映像を受信する映像受信装置と、
受信した前記映像を表示する表示装置と、
前記表示装置の焼き付き防止のためのスクリーンセーバーとを備える監視カメラシステムにおいて、
前記映像受信装置は、受信した前記監視対象の受信映像の変化を検知する動体検知処理部を有し、
前記動体検知処理部により、前記監視対象に変化がないことを検出した場合だけ、前記スクリーンセーバーを起動することを特徴とするカメラ監視システム。
【発明の詳細な説明】
【技術分野】
【０００１】
本発明は、監視対象を遠隔監視する監視カメラシステムに係り、特に、監視対象の変化を逃すことなく、モニタリングを実施でき、かつ、モニタの焼き付きを防止した映像受信装置を備えた監視カメラシステムに関する。
【背景技術】
【０００２】
従来の監視カメラ装置において、プラズマディスプレイ等の表示装置の画面上に、固定画像を常時表示した場合、画像の輝度が高い部分は蛍光体の劣化が進み、発光していない部分との輝度差が生じ、パターンとなってそのまま画面上に残ってしまう焼き付き現象が生じるため、きれいな画像での監視がし難くなり、表示装置の交換が必要となる。
【０００３】
このような焼き付き現象を軽減するため、例えば、特許文献１には、映像切り替え等の操作がなされていない瞬間から常に時間を計測し、一定時間経過したら自動的にスクリーンセーバーに切り替えて、文字や図形を画面上で移動表示させて、焼き付きを防止することが提案されている。
【０００４】
【特許文献１】特開２００３−１５０１４０号公報
【特許文献２】特開２００５−０９４７９１号公報
【発明の開示】
【発明が解決しようとする課題】
【０００５】
しかしながら、前述した特許文献１に提案されている従来の監視カメラ装置における、表示装置の焼き付き防止機能は、タイマー制御により自動的にスクリーンセーバーが起動する構成である。このため、スクリーンセーバーを表示している間、監視映像に変化が発生しても、監視対象を確認できないという問題があった。
【０００６】
そこで、本発明は、監視対象の変化を逃すことなくモニタリングを実施でき、かつ、モニタの焼き付きを防止した映像受信装置を具備するカメラ監視システムを提供することにある。
【課題を解決するための手段】
【０００７】
上記課題を解決するため、本発明は、監視対象を撮影するカメラと、前記カメラが取得した前記監視対象の映像を受信する映像受信装置と、受信した前記映像を表示する表示装置と、前記表示装置の焼き付き防止のためのスクリーンセーバーとを備える監視カメラシステムにおいて、
前記映像受信装置は、受信した前記監視対象の受信映像の変化を検知する動体検知処理部を有し、前記動体検知処理部により、前記監視対象に変化がないことを検知した場合だけ、前記スクリーンセーバーを起動することを特徴とするものである。
【０００８】
また、前記監視カメラシステムにおいて、監視対象に変化が無い状態の初期画像を、検出処理アルゴリズムに加えて、撮影の異常状態を検出するように構成してもよい。
【発明の効果】
【０００９】
本発明によれば、監視カメラで撮影した映像を、動体検知処理して、監視映像に変化がないときだけ、焼き付き防止のためのスクリーンセーバーを起動するようにしたので、監視映像に変化が発生してもスクリーンセーバーにより、監視対象が確認できないという問題と、焼き付き現象とを解消することができる。したがって、カメラ監視システムにおいて、モニタの焼き付き防止を自動制御しつつ、且つ、監視対象の変化も逃さない構成が実現できる。
【発明を実施するための最良の形態】
【００１０】
本発明に係る一実施の形態について、添付図面を参照しながら、以下詳細に説明する。
【実施例１】
【００１１】
図１は、本発明に係るカメラ監視システムの構成を示すブロック図である。本実施例の監視システムでは、監視カメラ１と、映像受信装置２と、モニタ３を備える。映像受信装置２は、フレームメモリ４と、リファレンス画像出力装置５と、動体検知処理部６と、ダミー画面出力装置７と、映像切り替えスイッチＳＷ１とから構成される。このように構成されるカメラ監視システムにより行われる監視動作の一例を説明する。
【００１２】
まず、監視カメラ１から出力した監視カメラ映像Ａが、映像受信装置２に入力される。映像受信装置２の内部では、動体検知処理部６と、フレームメモリ４と、リファレンス画像出力装置５に、監視カメラ映像Ａが入力される。フレームメモリ４では、入力された監視カメラ映像Ａを記録し、次のフレームが入力するまで保持する。
【００１３】
このフレームメモリ４は、メモリ容量に制限が無ければ何フレーム分でも保持して良く、後で説明する動体検知処理部６において、どのような動体検知アルゴリズムを使用するかによって記録枚数が異なる。リファレンス画像出力装置５では、初期画面として、監視カメラ１が撮影している監視エリアに問題がない状態の画像を、記録しておく。動体検知処理部６では、監視カメラ映像Ａとフレームメモリ４から出力する前フレーム映像Ｂとの差異情報から、動体検知処理を行う。
【００１４】
ここで言う動体検知処理では、さまざまなアルゴリズムを適応することが可能であり、例えば、基礎的なアルゴリズムとして、２フレーム以上の映像フレームの輝度値の差分から動体を検知する方法が知られている。（例えば、特許文献２参照）
ここで、動体検知処理部６で動体検知処理した結果、監視カメラ映像Ａに変化が発生している場合について説明する。前述したとおり、変化があると判断するのは、動体検知処理部６の動体検知アルゴリズムに依存する。動体検知処理により変化が有ると判断された場合、動体検知処理部６は、出力映像制御信号Ｆや、モニタ制御信号Ｇを出力せず、次の監視カメラ映像のフレームが入力するまで待機する。映像切り替えスイッチＳＷ１では、出力映像制御信号Ｆを受信しないときは、監視カメラ映像Ａが、モニタ出力映像信号Ｅとしてモニタ３へ出力される。
【００１５】
次に、動体検知処理部６で動体検知処理した結果、監視カメラ映像Ａの映像に変化が無い場合について説明する。
【００１６】
前述した通り、変化が無いと判断するのは、動体検知処理部６の動体検知アルゴリズムに依存する。
【００１７】
本実施例では、現在のフレームに相当する監視カメラ映像Ａと、過去のフレームに相当する前フレーム映像Ｂとの相互関係だけでなく、初期画面に相当するリファレンス映像Ｃとの相互関係も動体検知アルゴリズムに組み込む。これは、監視カメラ１の故障や、人為的に監視カメラ映像Ａが細工された場合（例えば、カメラを布で覆う等）、本来、撮影するべき監視領域とは異なる画像が送信されたときでも、これを変化として認識するためである。
【００１８】
動体検知処理部６の検知処理で、監視対象に変化を検出しない場合、動体検知処理部６は、出力映像制御信号Ｆを映像切り替えスイッチＳＷ１へ出力するか、もしくは、モニタ制御信号Ｇをモニタ３へ出力する。出力映像制御信号Ｆを受信した映像切り替えスイッチＳＷ１は、ダミー画面出力装置７に接続を切り替え、ダミー画面出力装置７の出力であるダミー画面Ｄを、モニタ出力映像信号Ｅとして、モニタ３へ出力する。また、モニタ制御信号Ｇを受信したモニタ３は、モニタ３の電源を省電力モードに切り替える。ここで、ダミー画面Ｄは、モニタの焼き付きが起こり難いような静止画像、スクリーンセーバー画像、もしくは、動画像とし、システム起動時に予めダミー画面出力装置７へ記憶しておく。
【実施例２】
【００１９】
本実施例は、１台のモニタに、複数の監視カメラから受信した複数映像をモニタに分割表示する場合の実施例である。ここでは、図２に示すように、４台の監視カメラ１ａ〜１ｄが設置されているとする。基本的構成は図１と同じであるが、４台の監視カメラの映像を切り替えて映像受信装置２へ入力する為の、カメラ選択スイッチＳＷ２が設けられている。
【００２０】
次に、本実施例の監視カメラシステムの動作を説明する。監視カメラ選択スイッチＳＷ２により、例えば監視カメラが１ａ、１ｂ、１ｃ、１ｄと順次切り替えられ、各監視カメラからの監視カメラ映像Ａが映像受信装置２に入力され、モニタ３の画面に分割表示するとする。映像受信装置２の内部では、動体検知処理部６と、フレームメモリ４と、リファレンス画像出力装置５に、各監視カメラの映像Ａが順次入力される。このとき、フレームメモリ４では、入力された各監視カメラ映像Ａを、監視カメラ毎に記録し、各監視カメラからのそれぞれの次のフレームが入力するまで保持する。本実施例でも、フレームメモリ４はメモリ容量に制限がなければ何フレーム分でも保持して良いことは勿論である。
【００２１】
リファレンス画像出力装置５では、初期画面として、各監視カメラが撮影している監視エリアに問題が無い状態の画像を、監視カメラ毎に記録しておく。動体検知処理部６では、各監視カメラからの監視カメラ映像Ａと、監視カメラ毎に保持されたフレームメモリ４から出力される各監視カメラに対応する前フレーム映像Ｂとの差異情報から、監視カメラの映像毎に動体検知処理を順次行う。ここで、動体検知処理部６で動体検知処理した結果、例えば、監視カメラ１ａ、１ｂに変化が有り、監視カメラ１ｃ，１ｄに変化が無いとする。
【００２２】
動体検知処理により変化が有ると判断された監視カメラ１ａ、１ｂの場合、動体検知処理部６は出力映像制御信号Ｆや、モニタ制御信号Ｇを出力せず、各監視カメラ１ａ、１ｂのそれぞれの映像の次のフレームが入力するまで待機する。映像切り替えスイッチＳＷ１では、出力映像制御信号Ｆを受信しないときには、監視カメラ映像Ａをモニタ３へ出力する。したがって、監視カメラ１ａ、１ｂの各監視カメラ映像Ａが、モニタ３へ出力される。
【００２３】
一方、動体検知処理部６の動体検知処理により、変化が無いと判断された監視カメラ１ｃ、１ｄ、の場合は、出力映像制御信号Ｆを映像切り替えスイッチＳＷ１へ出力するか、もしくはモニタ制御信号Ｇをモニタ３へ出力する。出力映像制御信号Ｆを受信した映像切り替えスイッチＳＷ１は、接続を切り替えて、ダミー画面出力装置からの出力ダミー画面Ｄを、モニタ３へ出力する。ダミー画面Ｄは、前述した実施例１と同様に、モニタの焼き付きが起こり難いような静止画像、スクリーンセーバー画像、もしくは動画像とし、システム起動時に予めダミー画面出力装置７へ記憶しておく。また、モニタ制御信号Ｇを受信した分割画面表示中のモニタ３は、モニタ３の電源を省電力モードに切り替え、変化を検出しない監視カメラ１ｃ、１ｄからの映像信号の映像を分割画面に表示しない。
【００２４】
なお、本実施例でも、監視カメラの故障や、人為的に監視カメラ映像Ａが細工された場合、本来、撮影するべき監視領域とは異なる画像が送信された場合でも、これを変化として認識するため、現在のフレームに相当する各監視カメラのそれぞれの映像Ａと、過去のフレームに相当する前フレーム映像Ｂとの相互関係だけでなく、初期画面に相当するリファレンス映像Ｃとの相互関係も動体検知アルゴリズムに組み込む。
【００２５】
以上、本発明に係るカメラ監視システムに好適な実施例を述べたが、本発明の精神を逸脱しない範囲内で、種々の設計変更が可能であることは勿論である。例えば、実施例２では、複数の監視カメラを、順次切り替えるとして説明したが、順不同であっても良く、モニタを監視する操作者による任意の切り替えとしてもよい。また、監視カメラも４台に限るものではないことは勿論である。
【図面の簡単な説明】
【００２６】
【図１】本発明に係る監視システムの一実施例の構成を示すブロック図。
【図２】本発明に係る監視システムの別の実施例の構成を示すブロック図。
【符号の説明】
【００２７】
１，１ａ〜１ｄ…監視カメラ、２…映像受信装置、３…モニタ、４…フレームメモリ、５…リファレンス画像出力装置、６…動体検知処理部、７…ダミー画面出力装置、Ａ…監視カメラ映像、Ｂ…前フレーム映像、Ｃ…リファレンス映像、Ｄ…ダミー画面映像、Ｅ…モニタ出力映像、ＳＷ１…映像切り替えスイッチ、ＳＷ２…監視カメラ映像切り替えスイッチ、Ｆ…出力映像制御信号、Ｇ…モニタ制御信号。
【図１】
2008136129.tif 000003
【図２】
2008136129.tif 000004